(57)【要約】内視鏡の挿入部における先端部に設けられた先端構成部材を洗浄消毒する内視鏡用洗浄具５０であって、二つの部品３０，４０から構成され、該二つの部品３０，４０を組み合わせることにより先端構成部材の全周を覆うよう構成されている。
2019150601.tif 000002
【特許請求の範囲】
【請求項１】
内視鏡の挿入部における先端部に設けられた先端構成部材を洗浄消毒する内視鏡用洗浄具であって、
二つの部品から構成され、該二つの部品を組み合わせることにより前記先端構成部材の全周を覆うよう構成されていることを特徴とする内視鏡用洗浄具。
【請求項２】
前記二つの部品は、組み合わされた状態では前記先端構成部材を覆う筒状となり、分割された状態では前記先端構成部材の外周の一部を露呈させるよう構成されている、請求項１の内視鏡用洗浄具。
【請求項３】
前記二つの部品は前記内視鏡の前記挿入部に設けられた湾曲部における上下湾曲方向に分割自在に構成されている、請求項１の内視鏡用洗浄具。
【請求項４】
前記二つの部品に該二つの部品を分割する際に操作される操作部がそれぞれ設けられており、
前記操作部は、前記二つの部品が組み合わされ前記湾曲部を湾曲させる湾曲操作ノブが平面から離間する方向を指向するよう前記内視鏡が前記平面に載置された際、前記離間する方向側を指向する向きに配置される、請求項３の内視鏡用洗浄具。
【請求項５】
前記二つの部品に、該二つの部品を連結して開閉自在とするヒンジが設けられている、請求項１の内視鏡用洗浄具。
【請求項６】
前記ヒンジは、前記二つの部品の開き角度が１８０°を超えると前記二つの部品が分解されるよう構成されている、請求項５の内視鏡用洗浄具。
【請求項７】
前記ヒンジは、前記内視鏡の前記挿入部の挿入方向に略平行な軸を有し、前記二つの部品を前記軸周りに回動自在に連結する、請求項５の内視鏡用洗浄具。
【請求項８】
前記二つの部品は、閉じられた状態では前記先端構成部材を覆う筒状となり、開かれた状態では前記先端構成部材の外周の一部を露呈させるよう構成されていることを特徴とする請求項５に記載の内視鏡用洗浄具。
【請求項９】
前記二つの部品は、互いに色が異なる材料から構成されている、請求項１の内視鏡用洗浄具。
【請求項１０】
前記二つの部品は、樹脂から構成されている、請求項１の内視鏡用洗浄具。
【発明の詳細な説明】
【技術分野】
【０００１】
本発明は、内視鏡の挿入部における先端部に設けられた先端構成部材を洗浄消毒する内視鏡用洗浄具に関する。
【背景技術】
【０００２】
近年、消化管系及び膵胆管系等にある疾患部分を、被検体内に挿入される挿入部の挿入方向の先端側（以下、単に先端側と称す）に位置する先端部における先端硬質部材の外周側面の切り欠きに観察光学系が設けられた、所謂側視型内視鏡（以下、単に内視鏡と称す）を用いて観察、処置することが行われている。【０００３】
また、先端硬質部材の外周側面において、切り欠きを除く部位にカバーが被覆された構成も周知である。【０００４】
また、膵管、胆管、または肝管等の内視鏡処置の際は、通常、内視鏡の挿入部の先端部を十二指腸乳頭付近まで挿入する。そこからＸ線透視下において、挿入部内に設けられた処置具挿通用チャンネルにおけるチャンネル開口部からガイドワイヤを突出させて上述した管に挿入する。【０００５】
その後、ガイドワイヤをガイドにしてカテーテル等の処置具を膵管、胆管、または肝管に選択的に挿入する手法が用いられている。【０００６】
また、処置具挿通用チャンネル内においてチャンネル開口部に臨む先端部内の位置に起上台が設けられた構成が周知である。起上台は、処置具挿通用チャンネルに挿通されたガイドワイヤまたは処置具の進行方向を起上によりチャンネル開口部側へと可変させる。【０００７】
このような起上台を用いてチャンネル開口部を介してガイドワイヤまたは処置具を上述した管に挿入する構成も周知である。【０００８】
また、起上台は、先端硬質部材に対して回動自在に軸支されている。また、起上台の起上、降下は、操作ワイヤ（以下、単にワイヤと称す）が、内視鏡の操作部に設けられた起上台操作ノブによって挿入方向に沿って牽引弛緩されることによる起上台の回動に伴って行われるのが一般的である。尚、操作ワイヤは、挿入部内に挿通されるとともに挿入方向の先端（以下、単に先端と称す）が起上台に固定されている。【０００９】
ここで、側視型内視鏡は、使用後、再度使用するためには洗浄消毒する必要があるが、先端硬質部材には、上述したように、外周側面の切り欠きや、起上台、チャンネル開口部等々、凹凸を有する部材が多く設けられている。【００１０】
このため、これら凹凸までも確実に洗浄消毒するためには、先端硬質部材、観察光学系、起上台、チャンネル開口部等の先端構成部材の洗浄消毒処理は、通常の内視鏡の洗浄消毒処理に加えて別に行う必要が生じる。【００１１】
そこで、従来は、シリンジから洗浄液または消毒液を先端構成部材に直接送液する手法を用いていたが、この手法では先端構成部材に対する洗浄消毒性が安定しないといった問題があった。【００１２】
このような問題に鑑み、日本国特開２０１５−１８１９１４号公報には、先端部に被覆される内視鏡用洗浄具において、一部の管状部材がチャンネル開口部から起上台に向けて挿入される構成が開示されている。このような内視鏡用洗浄具は、管状部材を介して起上台の細部まで確実に洗浄液または消毒液を供給できる。【００１３】
しかしながら、日本国特開２０１５−１８１９１４号公報に開示された洗浄消毒具の構成では、起上台周囲には確実に液体を供給できるが、先端硬質部材の外表面には送液できないといった問題があった。【００１４】
そこで、日本国特許第６０１３６５８号公報には、先端部の全周に被覆されるとともに、液体供給口から起上台のみならず先端硬質部材の外表面を含む広範囲に送液が可能な構成を有する内視鏡用洗浄具の構成が開示されている。【００１５】
しかしながら、日本国特許第６０１３６５８号公報に開示された内視鏡用洗浄具の構成では、該内視鏡用洗浄具に接続された液体供給チューブに連通する液体供給口が内視鏡用洗浄具の内部に開口された構成を有している。【００１６】
このため、液体供給口が複数形成されている場合、液体供給口のいずれかが詰まってしまう送液異常状態が発生した場合、作業者は外部から詰まりを目視によりチェックし難い。【００１７】
さらに、送液チェックを行うと、他の詰まりの無い液体供給口からは液体が流れるため、全ての液体供給口に詰まりがない、即ち送液異常状態でないと作業者が勘違いしてしまう。【００１８】
よって、そのまま内視鏡用洗浄具を洗浄消毒処理に用いると、先端構成部材の洗浄消毒不良を招く可能性があった。【００１９】
尚、以上のことは、側視型の内視鏡に限らず、直視型の内視鏡において先端部構成部材を洗浄消毒する場合においても同様である。【００２０】
本発明は、上記問題点に鑑みなされたものであり、内視鏡の挿入部の先端部に設けられた先端構成部材全体を、送液不良なく確実に洗浄消毒することができるとともに、送液異常の状態が確認しやすい構成を具備する内視鏡用洗浄具を提供することを目的とする。
【発明の開示】
【課題を解決するための手段】
【００２１】
本発明の一態様による内視鏡用洗浄具は、内視鏡の挿入部における先端部に設けられた先端構成部材を洗浄消毒する内視鏡用洗浄具であって、二つの部品から構成され、該二つの部品を組み合わせることにより前記先端構成部材の全周を覆うよう構成されている。
【図面の簡単な説明】
【００２２】
【図１】本実施の形態の内視鏡用洗浄具により挿入部の先端部に設けられた先端構成部材が洗浄消毒される内視鏡を示す図
【図２】図１の先端構成部材を洗浄消毒する内視鏡用洗浄具を具備する洗浄消毒ユニットを、内視鏡用洗浄具の二つの部品が分割された状態にて示す部分斜視図
【図３】図２の内視鏡用洗浄具の一方の部品に、内視鏡の挿入部の先端部が載置された状態を、図２中のIII方向からみた平面図
【図４】図３の先端部の載置状態から内視鏡用洗浄具の二つの部品が組み合わされた状態を示す部分斜視図
【図５】図４の内視鏡用洗浄具の組み合わせ状態において、内視鏡の操作部が平面に載置された状態を概略的に示す図
【図６】図４中のVI-VI線に沿う内視鏡用洗浄具及び先端部の断面図
【図７】図６の内視鏡用洗浄具の一方の部品が他方の部品から開かれた状態を示す断面図
【発明を実施するための最良の形態】
【００２３】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２４】
尚、以下、本実施の形態においては、内視鏡は、側視型の内視鏡を例に挙げて説明する。【００２５】
図１は、本実施の形態の内視鏡用洗浄具により挿入部の先端部に設けられた先端構成部材が洗浄消毒される内視鏡を示す図である。【００２６】
図１に示すように、内視鏡１は、被検体内に挿入される挿入部２と、該挿入部２の挿入方向Ｓの基端側に連設された操作部６と、該操作部６から延出されたユニバーサルコード１１と、該ユニバーサルコード１１の延出端に設けられたコネクタ１２とを具備して主要部が構成されている。【００２７】
尚、コネクタ１２を介して、内視鏡１は、制御装置や照明装置等の外部装置と電気的に接続される。【００２８】
挿入部２は、先端側から順に、先端部３と湾曲部４と可撓管部５とを具備して構成されており、挿入方向Ｓに沿って細長に形成されている。【００２９】
操作部６に、湾曲部４を上下方向に湾曲させる上下用湾曲操作ノブ７と、湾曲部４を左右方向に湾曲させる左右用湾曲操作ノブ９とが設けられている。【００３０】
また、操作部６に、上下用湾曲操作ノブ７の回動位置を固定する固定レバー８と、左右用湾曲操作ノブ９の回動位置を固定する固定ノブ１０とが設けられている。【００３１】
湾曲部４は、上下用湾曲操作ノブ７や左右用湾曲操作ノブ９の回動操作により、例えば上下左右の４方向に湾曲されることにより、先端部３内に設けられた図示しない撮像ユニットの観察方向を可変したり、被検体内における先端部３の挿入性を向上させたりするものである。【００３２】
尚、以下、湾曲部４の湾曲方向は、後述する観察光学系２２が設けられた側への湾曲方向を、上（ＵＰ）方向と定義し、該上方向とは反対方向を、下（ＤＯＷＮ）方向と定義する。【００３３】
さらに、後述する図５において示すが、操作部６を平面Ｆに載置した際に、平面Ｆから離間する方向Ｗへの湾曲方向を右（ＲＩＧＨＴ）方向と定義し、該右方向とは反対方向を左（ＬＥＦＴ）方向と定義する。【００３４】
さらに、操作部６に、先端部３内に設けられた後述する起上台２５を起上または降下させる際、回動操作させる起上台操作ノブ１５が設けられている。【００３５】
また、操作部６に、図示しないガイドワイヤや処置具を内視鏡１の挿入部２内において挿入方向Ｓに沿って設けられた処置具挿通用チャンネル１６に挿通するための処置具挿入口１４が設けられている。【００３６】
先端部３の外周面には、先端部３を構成する先端構成部材である、例えば金属から構成された先端硬質部材２９の一外周面側が切り欠かれた凹陥状の切欠部３ｋが形成されている。【００３７】
また、この切欠部３ｋの一外周面に、処置具挿通用チャンネル１６の先端部３の開口であるとともに先端構成部材であるチャンネル開口部２０が形成されている。【００３８】
また、切欠部３ｋの一外周面であって、チャンネル開口部２０の近傍に、先端構成部材である照明レンズ２１と、観察光学系２２とが設けられている。【００３９】
尚、先端硬質部材２９の周囲には、チャンネル開口部２０、観察光学系２２、照明レンズ２１を除いて覆う図示しない先端カバーが設けられていても構わない。【００４０】
さらに、先端硬質部材２９内において、処置具挿通用チャンネル１６内におけるチャンネル開口部２０を臨む位置に、先端構成部材である起上台２５が設けられている。【００４１】
起上台２５は、処置具挿入口１４から処置具挿通用チャンネル１６内に挿通された処置具やガイドワイヤの進行方向を、挿入方向Ｓからチャンネル開口部２０側へと可変することにより、起上に伴い処置具やガイドワイヤを被検体内の所望の位置へと誘導する。【００４２】
起上台２５は、起上台操作ノブ１５の回動操作によって、挿入部２及び操作部６内に挿通された図示しないワイヤの挿入方向Ｓに沿った牽引または弛緩により、起上または降下自在となっている。【００４３】
次に、上述した先端構成部材を洗浄消毒する内視鏡用洗浄具の構成を、図２〜図７を用いて示す。【００４４】
図２は、図１の先端構成部材を洗浄消毒する内視鏡用洗浄具を具備する洗浄消毒ユニットを、内視鏡用洗浄具の二つの部品が分割された状態にて示す部分斜視図、図３は、図２の内視鏡用洗浄具の一方の部品に、内視鏡の挿入部の先端部が載置された状態を、図２中のIII方向からみた平面図である。【００４５】
また、図４は、図３の先端部の載置状態から内視鏡用洗浄具の二つの部品が組み合わされた状態を示す部分斜視図、図５は、図４の内視鏡用洗浄具の組み合わせ状態において、内視鏡の操作部が平面に載置された状態を概略的に示す図である。【００４６】
さらに、図６は、図４中のＶＩ−ＶＩ線に沿う内視鏡用洗浄具及び先端部の断面図、図７は、図６の内視鏡用洗浄具の一方の部品が他方の部品から開かれた状態を示す断面図である。【００４７】
尚、以下の説明においては、説明を簡略化するため、先端構成部材は、先端部３として示す。即ち、内視鏡用洗浄具の洗浄消毒対象として、先端部３と記載されているものは、上述した先端硬質部材２９、チャンネル開口部２０、照明レンズ２１、観察光学系２２、起上台２５等、先端部３に設けられた部材全てに相当する。【００４８】
図２に示すように、洗浄消毒ユニット１００は、内視鏡用洗浄具５０と、該内視鏡用洗浄具５０に接続された送液チューブ６１〜６４とを具備して主要部が構成されている。【００４９】
内視鏡用洗浄具５０は、図２〜図４、図６、図７に示すように、組み合わせ及び分割自在な二つの部品３０，４０から構成されている。【００５０】
部品３０，４０は、図４、図６に示すように、組み合わされた状態では、筒状となって先端部３の外周３ｇ全周を覆い、図３、図７に示すように、分割された状態では、先端部３の外周３ｇの一部を露呈させるよう構成されている。【００５１】
具体的には、部品３０，４０は、図２、図７に示すように、湾曲部４の上下湾曲方向に分割自在に構成されている。【００５２】
より具体的には、部品３０，４０は、該部品３０，４０にそれぞれ設けられたヒンジ３５，４５により開閉自在に連結されており、ヒンジ３５，４５により、上下湾曲方向に分割自在に構成されている。【００５３】
ヒンジ３５は、図６、図７に示すように、挿入方向Ｓに略平行な軸３５ｊを有し、軸３５ｊの外周面にヒンジ４５の断面略半円状の円弧部４５ｅが回動自在かつ挿入方向Ｓに移動が規制された状態にて嵌合された結果、部品３０，４０は軸３５ｊ周りに回動自在に連結されることにより、部品３０，４０は、上下湾曲方向に開閉自在に構成されている。【００５４】
よって、内視鏡用洗浄具５０は、ヒンジ３５，４５によって部品３０，４０が閉じられた状態では、図４、図６に示すように筒状となって先端部３の外周３ｇ全周を覆い、図３、図７に示すように、開かれた状態では、先端部３の外周３ｇの一部を露呈させるよう構成されている。【００５５】
ここで、ヒンジ３５，４５は、軸３５ｊの外周面に円弧部４５ｅが嵌合されているため、洗浄液や消毒液を供給するだけでは洗浄消毒し難い。よって、ヒンジ３５に対し、ヒンジ４５が分解できる構成が望まれている。【００５６】
しかしながら、簡単に分解されてしまう構成では、開かれた状態では、部品３０と部品４０とが簡単に分割されてしまうため、部品３０に対する部品４０の取り付け性が低下してしまう。【００５７】
そこで、図６、図７に示すように、ヒンジ３５，４５は、部品３０，４０の開き角度が２６０°を超えると、部品３０，４０が分解されるよう構成されている。この開き角度は２６０°に限らず、１８０°以上にならないと外れないようにしてあれば良い。【００５８】
具体的には、ヒンジ３５，４５は、図６、図７に示すように、軸３５ｊの外周面に、円弧部３５ｃと、該円弧部３５ｃの一部を切り欠いた切り欠き３５ｋが形成されている。【００５９】
ヒンジ３５，４５は、一方、図６に示すように、部品３０，４０が閉じられた状態においては、円弧部３５ｃに、円弧部４５ｅの内周面に形成された突起部４５ｔが当接する構成を有している。【００６０】
他方、図７に示すように、軸３５ｊに対する円弧部４５ｅの１８０°以上の回転を伴って部品３０，４０が開かれた状態においては、切り欠き３５ｋにより円弧部３５ｃへの突起部３５ｔの当接が外れることにより、円弧部４５ｅが図７の２点鎖線に示すように軸３５ｊから外れる構成を有している。【００６１】
このことにより、部品３０に対して部品４０は、単に開かれた状態では分解されず、１８０°以上開かれると分解される構成を有している。【００６２】
尚、部品３０，４０におけるヒンジ３５，４５の分解可能角度は、部品３０，４０を開いた状態で内視鏡１の先端部３を部品４０に載置する場合に、これら部品３０，４０が不用意に分離しない角度になっていれば良い。【００６３】
例えば１８０°より小さい角度で部品３０，４０が分離可能となっていると、部品４０に内視鏡１の先端部３を搭載しようとすると部品３０，４０が分離してしまう場合があるため、作業性が悪くなってしまう。【００６４】
なお、分離される角度は軸３５ｊの外周面に対する切り欠き３５ｋの形成角度や位置によって、自由に設定できる。【００６５】
部品３０は、図２に示すように、送液チューブ６１、６２が接続されており、例えば白色の樹脂から構成されている。尚、部品３０が白色から構成されているのは、部品３０に付着した汚れを操作者に視認させやすくするためである。【００６６】
また、部品３０は、先端部３の外周を覆うとともに、内周面に送液チューブ６１の液体供給口３１が形成された半円状の被覆部３９と、該被覆部３９の開口端から内視鏡用洗浄具５０が開かれた状態において、例えば右方向に延出するヒンジ３５とを有している。さらに、部品３０は、例えば左方向に延出するフランジ３８と、ヒンジ３５の近傍に設けられた送液チューブ６２の液体供給口３２とを有している。【００６７】
尚、液体供給口３１，３２は、部品３０，４０が閉じられ、先端部３の全周が図４に示すように覆われた際、先端部３に設けられた起上台２５等の可動部や、起上台２５の回動軸、先端部３に設けられた大きな凹み、先端硬質部材２９に対する先端カバー取り付け用の凹み等、洗浄消毒し難い部位に対向して位置する。【００６８】
さらに、フランジ３８に、内視鏡用洗浄具５０が開かれた状態においてフランジ３８から、例えば左湾曲方向に延出する操作部であるツマミ３６が形成されている。【００６９】
ツマミ３６に、内視鏡用洗浄具５０が開かれた状態において、例えば下湾曲方向にツマミ３６から起立する爪部３３と、開口部３４が形成されている。【００７０】
部品４０は、図２に示すように送液チューブ６３，６４が接続されている。この部品４０は、部品３０と区別し易くするために異なる色の樹脂、例えば緑色の樹脂から構成されている。部品４０の色は部品３０と異なっていればどのような色でも良い。【００７１】
また、部品４０の色により内視鏡用洗浄具５０に特定の意味、例えば特定の洗浄処理が可能であること（緑色であればオートクレーブ処理が可能であること等）を付与し、使用者に認識させることも可能である。【００７２】
また、部品４０は、先端部３の外周を覆うとともに、内周面に送液チューブ６３の液体供給口４３が形成された半円状の被覆部４９と、該被覆部４９の開口端から開かれた状態において、例えば左方向に延出するヒンジ４５とを有している。さらに部品４０は、例えば右方向に延出するフランジ４８と、該フランジ４８の近傍に設けられた送液チューブ６４の液体供給口４４とを有している。尚、ヒンジ４５には、開口部４７が形成されている。【００７３】
尚、液体供給口４３，４４は、部品３０，４０が閉じられ、先端部３の全周が図４に示すように覆われた際、先端部３に設けられた起上台２５等の可動部や、起上台２５の回動軸、先端部３に設けられた大きな凹み、先端硬質部材２９に対する先端カバー取り付け用の凹み等、洗浄消毒し難い部位に対向して位置する。【００７４】
さらに、フランジ４８に、内視鏡用洗浄具５０が開かれた状態においてフランジ４８から、例えば右湾曲方向に延出する操作部であるツマミ４６が形成されている。【００７５】
尚、部品４０が部品３０と異なる色から構成されていることにより、先端部３を開かれた状態の内視鏡用洗浄具５０に載置する際、先端部３の載置方向、例えば、図３に示すように、先端部３を、部品４０の被覆部４９に対して、観察光学系２２が対向する向きに載置することを操作者が分かりやすくなる効果がある。【００７６】
さらには、液体供給口４３、４４から先に送液するか、または液体供給口３１，３２から先に送液するかの順番を色により操作者に視認させ、送液順序の間違えを防ぐ効果がある。【００７７】
加えて、上述したように、部品３０，４０は、図２、図７に示すように、湾曲部４の上下湾曲方向に分割自在に構成されていることから、部品３０の被覆部３９または部品４０の被覆部４９に対して、操作者は、先端部３の載置方向が認識しやすくなっている。【００７８】
これは、上述したように、観察光学系２２は、先端部３において上湾曲方向に設けられていることから、内視鏡用洗浄具５０が開かれた状態において上下湾曲方向に位置する被覆部３９または被覆部４９に対して先端部３を、観察光学系２２が対向するよう載置すれば、載置方向が認識しやすくなるためである。【００７９】
ツマミ３６、４６は、図２、図３、図７に示すように、内視鏡用洗浄具５０が開かれた状態から、図４、図６に示すように閉じられた状態に移行させる際、またはその反対の際、即ち、部品３０，４０の開閉の際に、操作者により把持操作されるものである。【００８０】
また、ツマミ３６、４６は、図４、図６に示すように、閉じられた状態においては、フランジ４８が爪部３３に、該爪部３３を弾性変形させることによってスナップフィットするよう構成されている。【００８１】
また、ツマミ３６，４６は、図５に示すように、平面Ｆに対し、操作部６が上下用湾曲操作ノブ７及び左右用湾曲操作ノブ９が平面Ｆから離間する方向Ｗを指向するよう載置された際、方向Ｗを指向する向きに配置される。【００８２】
これは、通常、内視鏡１を平面Ｆに載置する際は、操作者は、各操作ノブ７、９が方向Ｗを指向するよう操作部６を平面Ｆに載置することから、上湾曲方向は、方向Ｗとは一致しない状態で載置される。【００８３】
ところが、ツマミ３６，４６が配置される向きを、右湾曲方向に一致させると、方向Ｗを指向する向きにツマミ３６，４６が配置される。【００８４】
このため、平面Ｆに載置された内視鏡１の先端部３に装着された内視鏡用洗浄具５０に対して、操作者がツマミ３６，４６を用いた開き作業が行いやすくなるためである。【００８５】
さらに、部品４０に対し、爪部３３にスナップフィットされるフランジ４８を、被覆部４９と一体的に形成することで、爪部３３にフランジ４８がスナップフィットされる際に、被覆部４９が変形することでフランジ４８の移動を吸収するため、爪部３３を上湾曲方向に沿って長く薄く形成することが不要となる。【００８６】
また、部品３０と部品４０とを閉じるに際し、爪部３３に対してフランジ４８が乗り越える際、ヒンジ３５，４５への応力負荷によりヒンジ３５，４５が破損してしまう可能性が有る。これを防ぐため、軸３５ｊに嵌合する円弧部４５ｅは、乗り越えの際に発生する弾性変形に伴い圧縮力Ｃが付与される部品４０に形成されている。【００８７】
このことにより、図６に示すように、爪部３３に対してフランジ４８が乗り越える際に、円弧部４５ｅに引っ張り力Ｔが付与されないため、円弧部４５ｅが破損してしまうことを防ぐことができる構成となっている。【００８８】
開口部３４は、爪部３３に対するフランジ４８のスナップフィット部の洗浄消毒がしやすいよう、即ちスナップフィット部に液体を供給しやすくするよう形成された開口である。また、開口部４７は、ヒンジ３５，４５の洗浄消毒がしやすいよう、即ちヒンジ３５，４５に液体を供給しやすくするよう形成された開口である。【００８９】
尚、その他の構成は、従来の内視鏡用洗浄具と同じである。【００９０】
このように、本実施の形態においては、内視鏡用洗浄具５０は、組み合わせ自在な二つの部品３０，４０から構成されており、部品３０，４０を組み合わせることにより先端部３の全周を覆うよう構成されていると示した。【００９１】
このような構成によれば、従来の先端部３の全周を覆う内視鏡用洗浄具と同様に、先端構成部材に対して液体供給口３１，３２，４３，４４から広範囲に送液が可能である。さらに、図２、図７に示すように分割することができるため、液体供給口３１，３２，４３，４４や送液チューブ６１〜６４に詰まりが発生した場合においても、操作者は分割後、容易に視認により詰まり位置を確認することができる。【００９２】
以上から、内視鏡１の挿入部２の先端部３に設けられた先端構成部材全体を、送液不良なく確実に洗浄消毒することができるとともに、送液異常の状態が確認しやすい構成を具備する内視鏡用洗浄具５０を提供することができる。【００９３】
尚、上述した本実施の形態においては、ヒンジ３５，４５により部品３０，４０は回動を伴って開閉自在なことによって、分割、組み合わせ自在である場合を例に挙げて示したが、これに限らず、部品３０，４０は、他の構成によって分割自在であっても構わない。【００９４】
また、上述した本実施の形態においては、内視鏡は、側視型の内視鏡を例に挙げて示したが、これに限らず、処置具挿通チャンネルに起上台が設けられた直視型の内視鏡にも内視鏡用洗浄具５０は適用可能である。【００９５】
さらに、内視鏡に限定されず、カテーテル等の挿入部の先端部に起上台を有する処置具にも内視鏡用洗浄具５０は適用可能であることは云うまでもない。【００９６】
本出願は、２０１８年１月３１日に日本国に出願された特願２０１８−０１５０５３号を優先権主張の基礎として出願するものであり、上記の内容は、本願明細書、請求の範囲、図面に引用されたものである。
【図１】
2019150601.tif 000003
【図２】
2019150601.tif 000004
【図３】
2019150601.tif 000005
【図４】
2019150601.tif 000006
【図５】
2019150601.tif 000007
【図６】
2019150601.tif 000008
【図７】
2019150601.tif 000009
【手続補正書】
【提出日】令和2年5月7日(2020.5.7)
【手続補正１】
【補正対象書類名】明細書
【補正対象項目名】００２１
【補正方法】変更
【補正の内容】
【００２１】
本発明の一態様による内視鏡用洗浄具は、内視鏡の挿入部における先端部に設けられた先端構成部材を洗浄消毒する内視鏡用洗浄具であって、二つの部品から構成され、該二つの部品を組み合わせることにより前記先端構成部材の全周を覆うよう構成されており、前記二つの部品に、これら前記二つの部品を連結して開閉自在とするヒンジが設けられており、該ヒンジは前記二つの部品の開き角度が所定の角度を超えると分離されるよう構成される。
また、本発明の他態様による内視鏡用洗浄具は、内視鏡の挿入部における先端部に設けられた先端構成部材を洗浄消毒する内視鏡用洗浄具であって、二つの部品から構成され、該二つの部品を組み合わせることにより前記先端構成部材の全周を覆うよう構成されており、前記二つの部品は前記内視鏡の前記挿入部に設けられた湾曲部における上下湾曲方向に分割自在に構成されており、前記二つの部品に該二つの部品を分割する際に操作される操作部がそれぞれ設けられており、これら前記操作部は、前記二つの部品が組み合わされ前記湾曲部を湾曲させる湾曲操作ノブが平面から離間する方向を指向するよう前記内視鏡が前記平面に載置された際に、前記離間する方向を指向する向きに配置される。
【手続補正２】
【補正対象書類名】特許請求の範囲
【補正対象項目名】全文
【補正方法】変更
【補正の内容】
【特許請求の範囲】
【請求項１】
内視鏡の挿入部における先端部に設けられた先端構成部材を洗浄消毒する内視鏡用洗浄具であって、
二つの部品から構成され、該二つの部品を組み合わせることにより前記先端構成部材の全周を覆うよう構成されており、
前記二つの部品に、これら前記二つの部品を連結して開閉自在とするヒンジが設けられており、該ヒンジは前記二つの部品の開き角度が所定の角度を超えると分離されるよう構成されることを特徴とする内視鏡用洗浄具。
【請求項２】
前記所定の角度は、１８０°である、ことを特徴とする請求項１に記載の内視鏡用洗浄具。
【請求項３】
前記二つの部品は、組み合わされた状態では前記先端構成部材を覆う筒状となり、分割された状態では前記先端構成部材の外周の一部を露呈させるよう構成されている、ことを特徴とする請求項１に記載の内視鏡用洗浄具。
【請求項４】
前記二つの部品は前記内視鏡の前記挿入部に設けられた湾曲部における上下湾曲方向に分割自在に構成されている、ことを特徴とする請求項１に記載の内視鏡用洗浄具。
【請求項５】
前記二つの部品に該二つの部品を分割する際に操作される操作部がそれぞれ設けられており、
前記操作部は、前記二つの部品が組み合わされ前記湾曲部を湾曲させる湾曲操作ノブが平面から離間する方向を指向するよう前記内視鏡が前記平面に載置された際、前記離間する方向側を指向する向きに配置される、ことを特徴とする請求項４に記載の内視鏡用洗浄具。
【請求項６】
前記ヒンジは、前記内視鏡の前記挿入部の挿入方向に略平行な軸を有し、前記二つの部品を前記軸周りに回動自在に連結する、ことを特徴とする請求項１に記載の内視鏡用洗浄具。
【請求項７】
前記二つの部品は、閉じられた状態では前記先端構成部材を覆う筒状となり、開かれた状態では前記先端構成部材の外周の一部を露呈させるよう構成されている、ことを特徴とする請求項１に記載の内視鏡用洗浄具。
【請求項８】
前記二つの部品は、互いに色が異なる材料から構成されている、ことを特徴とする請求項１に記載の内視鏡用洗浄具。
【請求項９】
前記二つの部品は、樹脂から構成されている、ことを特徴とする請求項１に記載の内視鏡用洗浄具。
【請求項１０】
内視鏡の挿入部における先端部に設けられた先端構成部材を洗浄消毒する内視鏡用洗浄具であって、
二つの部品から構成され、該二つの部品を組み合わせることにより前記先端構成部材の全周を覆うよう構成されており、
前記二つの部品は前記内視鏡の前記挿入部に設けられた湾曲部における上下湾曲方向に分割自在に構成されており、
前記二つの部品に該二つの部品を分割する際に操作される操作部がそれぞれ設けられており、これら前記操作部は、前記二つの部品が組み合わされ前記湾曲部を湾曲させる湾曲操作ノブが平面から離間する方向を指向するよう前記内視鏡が前記平面に載置された際に、前記離間する方向を指向する向きに配置される、ことを特徴とする内視鏡用洗浄具。
【国際調査報告】
2019150601.tif 000010
2019150601.tif 000011
2019150601.tif 000012
2019150601.tif 000013